(57)【要約】【課題】  本発明は、水道メーターからの接続を行うことで給水管内の洗浄を完全に行うことを可能とする給水管洗浄における配管方法および給水管洗浄における配管装置を提供することを目的とするものである。【解決手段】  本発明は、上水管と水道メーターとの間に接続される第１の迂回用ホース６と、同水道メーターと給水管との間に接続される第２の迂回用ホース７と、同第２の迂回用ホース７の中途部に接続される圧縮空気供給用ホース１０とから構成される。【選択図】        図２
2006175405.tif 000002
【特許請求の範囲】
【請求項１】
給水管内に水を通しながら圧縮空気を送り込むことにより給水管の洗浄を行う給水管洗浄において、
上水管と給水管との間に接続される水道メーターを取り外す工程と、
前記上水管と水道メーターおよび該水道メーターと前記給水管との間に迂回用ホースを接続する工程と、
前記水道メーターと前記給水管との間の迂回用ホースに、給水管洗浄装置によって供給される圧縮空気が圧縮空気供給用ホースを介して注入する工程を備える
ことを特徴とする給水管洗浄における配管方法。
【請求項２】
前記上水管、水道メーターおよび給水管と迂回用ホースとを着脱自在とした接続用プラグによって接続する
ことを特徴とする請求項１記載の給水管洗浄における配管方法。
【請求項３】
前記水道メーターの大きさに適合する数種の接続用プラグを備える
ことを特徴とする請求項１または２記載の給水管洗浄における配管方法。
【請求項４】
給水管内に水を通しながら圧縮空気を送り込むことにより給水管の洗浄を行う給水管洗浄において、
上水管と給水管との間に接続される水道メーターが取り外された後に、上水管と水道メーターとの間に接続される第１の迂回用ホースと、
前記水道メーターと前記給水管との間に接続される第２の迂回用ホースと、
前記第２の迂回用ホースに連結される圧縮空気供給用ホースを備える
ことを特徴とする給水管洗浄における配管装置。
【請求項５】
前記第２の迂回用ホースと圧縮空気供給用ホースとの間に、圧縮空気が水道メーター側へ流入するのを防止するための逆止弁を設けた
ことを特徴する請求項１記載の給水管洗浄における配管装置。
【請求項６】
前記上水管、水道メーターおよび給水管と迂回用ホースとを着脱自在とした接続用プラグによって接続する
ことを特徴とする請求項１または２記載の給水管洗浄における配管装置。
【請求項７】
前記水道メーターの大きさに適合する数種の接続用プラグを備える
ことを特徴する請求項１、２または３記載の給水管洗浄における配管装置。
【発明の詳細な説明】
【技術分野】
【０００１】
本発明は、給水管洗浄における配管方法および配管装置に関する。詳しくは圧縮空気により水道管内の洗浄を行う際の配管方法および給水管洗浄における配管装置に係るものである。
【背景技術】
【０００２】
従来、水道管内に圧縮空気を送り込んで洗浄を行う給水管装置としては、例えば図６に示す洗浄装置がある。この洗浄装置１０１を使用して家屋の給水管１０２の洗浄を行うときには、水道メーター１０３に最も近い位置の蛇口１０４との間を前記洗浄装置１０１の圧縮空気供給ホース１０５によって接続し、上水配管から給水管１０２内に水を流通させることで、給水管１０２内で圧縮空気と水とが混合されてなる混合水が給水管１０２内を流通する。
【０００３】
この混合水が給水管１０２内を流通するとき、圧縮空気の衝撃波により、給水管１０２の内壁に付着した油分、錆、塵埃等の異物が除去され、水中に分散される。この状態で同給水管１０２に接続された他の蛇口１０４を開放することにより、水中に分散された異物が混合水とともに蛇口１０４から吐出され、給水管１０２の洗浄が行われる（特許文献１参照）。
【０００４】
【特許文献１】特開２００３−２９０７３０号公報（実施例、第４図）
【発明の開示】
【発明が解決しようとする課題】
【０００５】
しかしながら前記配管による給水管の洗浄では、水道メーターや止水弁が設けられる上水管から水道メーターに最も近い位置の蛇口までの給水管内の洗浄が行われないこととなる問題がある。
【０００６】
また、一個建ての家では屋外に蛇口が設置されている場合が多く、屋外の蛇口からの圧縮空気の注入を行うことができるために洗浄装置を屋外に設置することができ屋内への騒音を軽減することができるが、マンション等では屋内の蛇口に接続するために屋内での騒音が激しくなる問題がある。
【０００７】
さらに、近年では蛇口の種類が多く、場合によっては蛇口に取り付ける接続アダプターが合わない、あるいは蛇口を分解しなければ成らないなど非常に作業が煩雑となる問題がある。
【０００８】
本発明は、以上の点に鑑みて創案されたものであって、水道メーターからの接続を行うことで給水管内の洗浄を完全に行うことを可能とする給水管洗浄における配管方法および給水管洗浄における配管装置を提供することを目的とするものである。
【課題を解決するための手段】
【０００９】
上記の目的を達成するために、本発明に係る給水管洗浄における配管方法は、給水管内に水を通しながら圧縮空気を送り込むことにより給水管の洗浄を行う給水管洗浄において、上水管と給水管との間に接続される水道メーターを取り外す工程と、前記上水管と水道メーターおよび該水道メーターと前記給水管との間に迂回用ホースを接続する工程と、前記水道メーターと前記給水管との間の迂回用ホースに、給水管洗浄装置によって供給される圧縮空気が圧縮空気供給用ホースを介して注入する工程を備える。
【００１０】
ここで、上水管に設けられる水栓によって水道水を止めた状態で、上水管と給水管との間に接続される水道メーターを取り外し、上水管、水道メーターおよび給水管の開口端にそれぞれ接続用ソケットを装着する。そして各接続用ソケット間を迂回用ホースによって接続し、さらに水道メーターと給水管との間の迂回用ホースに給水管洗浄装置によって供給される圧縮空気が圧縮空気供給用ホースを介して注入させ、元栓を開くことにより上水管より流出される水道水は迂回用ホースを通して水道メーターを通りながら圧縮空気と混合されて給水管の始端より送り込まれることによって全ての給水管内の洗浄が行えることになる。
【００１１】
また、上記の目的を達成するために、本発明に係る給水管洗浄における配管装置は、給水管内に水を通しながら圧縮空気を送り込むことにより給水管の洗浄を行う給水管洗浄において、上水管と給水管との間に接続される水道メーターが取り外された後に、上水管と水道メーターとの間に接続される第１の迂回用ホースと、前記水道メーターと前記給水管との間に接続される第２の迂回用ホースと、前記第２の迂回用ホースに連結される圧縮空気供給用ホースを備える。
【００１２】
ここで、第１の迂回用ホースおよび第２の迂回用ホースの両端には接続用プラグがそれぞれ装着され、上水管と給水管との間に接続される水道メーターが取り外された後に、上水管、水道メーターおよび給水管の開口端に前記第１の迂回用ホースおよび第２の迂回用ホースの両端に装着される接続用プラグに連結可能とされる一対の接続用プラグが装着されることによって第１の迂回用ホースおよび第２の迂回用ホースの接続が容易に行うことが可能となる。また、第２の迂回用ホースには圧縮空気供給用ホースが接続され、この圧縮空気供給用ホースにエアーコンプレッサーが内蔵される洗浄装置からの圧縮空気を注入することにより、元栓を開くことで上水管より流出される水道水は迂回用ホースを通して水道メーターを通りながら圧縮空気と混合されて給水管の始端より送り込まれることによって全ての給水管内の洗浄が行えることになる。
【００１３】
また、国内において取り付けられる水道メーターは数種の接続径の異なるものが使用されており、これらの水道メーターの接続径に対応できるように数種の接続用プラグを備える構成とするものである。
【発明の効果】
【００１４】
以上詳述したように、上水管と給水管との間に設けられる水道メーターを取り外し、迂回用ホースによって水道メーターを介した状態で上水管と給水管との間を連結し、迂回用ホースに圧縮空気を注入することで給水管の始端からの洗浄が可能となる。
【００１５】
また、水道メーターは屋外に設置されている場合が多く、屋外での洗浄装置の設置により屋内での騒音がなく洗浄を行うことが可能となる。さらに、迂回用ホースとの接続は着脱自在とされる接続用プラグによって行うために、取り付けおよび取り外しが容易に行うことができる。
【発明を実施するための最良の形態】
【００１６】
以下、本発明の実施の形態を図面を参酌しながら説明し、本発明の理解に供する。
図１（イ）、（ロ）に、本発明を適用した給水管洗浄における配管方法の作業工程を示す説明図、図２は、本発明を適用した給水管洗浄における配管方法の一例を示す説明図である。
【００１７】
ここで、図１（イ）で示すように、通常水道メーター１より屋内側に接続される配管が給水管２であり、前記水道メーター１より屋外側へ接続される配管が上水管３とされる。この上水管３の先端にはハンドル式の水栓４が設けられ、同水栓４の開閉によって屋内への水道水の供給を行うものである。
【００１８】
また、水道メーター１を介して給水管２へ水道水の供給が行われ、水道メーター１によって積算される水量を測定することによって水道料金が決められることとなる。さらに、前記水道メーター１に接続される給水管２および上水管３の接続は連結用袋ナット５によって着脱自在な状態で連結されている。
【００１９】
そこで、図１（ロ）で示すように、まず水栓４によって上水管３からの水道水の供給を止める。そして水道メーター１を上水管３および給水管２よりレンチなどの工具によって連結用袋ナット５を緩めて取り外す。
【００２０】
次に、水道ボックス（図示せず。）より水道メーター１を地表上に取り出し、上水管３と水道メーター１とを第１の迂回用ホース６によって連結し、給水管２と水道メーター１とを第２の迂回用ホース７によって連結する。
【００２１】
また、第２の迂回用ホース７の中途には、携帯用給水管洗浄装置８のエアーソケット９に接続される圧縮空気供給用ホース１０が連通状に接続される。この圧縮空気供給用ホース１０の接続個所の水道メーター１側には逆止弁１３が設けられ、圧縮空気が水道メーター１側へ流入しない構成とする。
【００２２】
このようにして配管されることにより図３に示すように、上水管３の先端に設けられるハンドル式の水栓４を開いて第１の迂回用ホース６内へ水道水の供給を行う。この迂回用ホース６は水道メーター１に接続されているために水量は水道メーター１に積算される。
【００２３】
次に、水道メーター１を通して水道水は第２の迂回用ホース７内へ供給されるとともに、携帯用給水管洗浄装置８から供給される圧縮空気は圧縮空気供給用ホース１０を通して第２の迂回用ホース７内に注入される。
【００２４】
ここで、第２の迂回用ホース７内で圧縮空気と水道水とが混合されながら給水管２内を流通する。この混合水が流通するときの圧縮空気の衝撃波によって給水管２内壁に付着した油分、錆、塵埃などの堆積物が除去されて水中に分散される。
【００２５】
そして家屋内の蛇口Ａを順次開放しながら圧縮空気を給水管２内へ送り込むことにより、開放された蛇口Ａより除去された堆積物が排出されて圧縮空気と水道水との混合水が流通した給水管２内壁面が洗浄される。
【００２６】
このようにして順次蛇口Ａを開放しながら圧縮空気を給水管２の始端より送り込むことによって水道メーターに接続される給水管から家屋内に配管される全ての給水管内壁の洗浄をくまなく行うことが可能となる。
【００２７】
次に、図４は本発明を適用した給水管洗浄における配管装置の一例を示す説明図である。
ここで示す配管装置１１は、上水管と水道メーターとの間に接続される第１の迂回用ホース６と、同水道メーターと給水管との間に接続される第２の迂回用ホース７と、同第２の迂回用ホース７の中途部に接続される圧縮空気供給用ホース１０とから構成される。
【００２８】
第１の迂回用ホース６および第２の迂回用ホース７は、コイル状に巻回されることで必要に応じて引き伸ばすことにより、その全長を自在に調整することが可能となる。そして第１の迂回用ホース６および第２の迂回用ホース７の両端には接続用プラグ１２がそれぞれ装着される。
【００２９】
また、第２の迂回用ホース７の中途部には、逆止弁１３が設けられ、この逆止弁１３によって携帯用給水管洗浄装置８により供給される圧縮空気が圧縮空気供給用ホース１０を通して第２の迂回用ホース７側へ圧入される場合に水道メーター側へ逆流するのを防止する機構とされる。
【００３０】
次に図５（イ）（ロ）に示すように接続用プラグ１２は、分割状される凹用プラグ１４と凸用プラグ１５とから構成され、第１の迂回用ホース６および第２の迂回用ホース７の両端には凹用プラグ１４がそれぞれ装着される。
【００３１】
そこで前記図１（ロ）に示す上水管３および給水管２より取り外した水道メーター１には図５（イ）で示すように、凸用プラグ１５に取り付けられる連結用袋ナット５を、水道メーター１の両側の接続端の外周面に形成される連結用ネジ１７に螺着することによって接続を行うものである。そして第１の迂回用ホース６および第２の迂回用ホース７の一端側に設けられる凹用プラグ１４に前記凸用プラグ１５を嵌入し、同凹用プラグ１４に設けられる連結環１６によって凸用プラグ１５螺着することによって強固な連結が可能となる。
【００３２】
また、図５（ロ）で示すように、上水管３および給水管２の接続端に連結用袋ナット５が取り付けられている場合には、この連結用袋ナット５に凸用プラグ１５の接続端に形成される連結用ネジ１７を螺着することによって接続を行うものである。そして第１の迂回用ホース６および第２の迂回用ホース７の一端側に設けられる凹用プラグ１４に前記凸用プラグ１５を嵌入し、同凹用プラグ１４に設けられる連結環１６によって凸用プラグ１５螺着することによって強固な連結が可能となる。
【００３３】
また、国内においては接続端の直径が異なる数種の水道メーターが使用されており、これらの水道メーターの接続端の直径に対応する凸用プラグを備える構成とするものである。
したがって、現場において水道メーターを取り外し、水道メーター、上水管および給水管の接続端の直径を測定し、これらの接続端の直径に対応する凸用プラグを選択して接続することで第１の迂回用ホースおよび第２の迂回用ホースの連結を容易に行うことができる。
【００３４】
なお、圧縮空気供給用ホースに接続される携帯用給水管洗浄装置は、内部にエアーコンプレッサーが内蔵され、このエアーコンプレッサーの駆動による圧縮空気が圧縮空気供給用ホースを通して第２の迂回用ホースに注入される構成とするものである。
【００３５】
また、給水管洗浄装置としては本実施例で示すように必ずしも携帯用給水管洗浄装置である必要性はなく、エアーコンプレッサーによって圧縮空気を注入できるものであれば、車両搭載型などいかなる形態のものであっても構わない。
【００３６】
以上の構成よりなる本発明の給水管洗浄における配管装置では、屋外にある水道メーターボックスから水道メーターを取り外して、上水管と水道メーターとの間を第１の迂回用ホースおよび水道メーターと給水管との間を第２の迂回用ホースによって接続し、この第２の迂回用ホースに圧縮空気供給用ホースを通して給水管洗浄装置より圧縮空気を注入することにより、第２の迂回用ホース内で圧縮空気と水道水とが混合されながら給水管内を流通する。この混合水が流通するときの圧縮空気の衝撃波によって給水管内壁に付着した油分、錆、塵埃などの堆積物が除去されて水中に分散され、順次蛇口を開くことにより給水管始端より屋内に配管される全ての給水管内の洗浄が可能となる。
【図面の簡単な説明】
【００３７】
【図１】本発明を適用した給水管洗浄における配管方法の作業工程を示す説明図である。
【図２】本発明を適用した給水管洗浄における配管方法の一例を示す説明図である。
【図３】本発明を適用した給水管洗浄における配管方法による水道配管の洗浄方法の一例を示す説明図である。
【図４】本発明を適用した給水管洗浄における配管装置の一例を示す説明図である。
【図５】本発明を適用した給水管洗浄における配管装置における接続用プラグの一例を示す断面説明図である。
【図６】従来の給水管洗浄における配管の一例を示す説明図である。
【符号の説明】
【００３８】
１      水道メーター
２      給水管
３      上水管
４      水栓
５      連結用袋ナット
６      第１の迂回用ホース
７      第２の迂回用ホース
８      携帯用給水管洗浄装置
９      エアーソケット
１０    圧縮空気供給用ホース
１１    配管装置
１２    接続用プラグ
１３    逆止弁
１４    凹用プラグ
１５    凸用プラグ
１６    連結環
１７    連結用ネジ
【図１】
2006175405.tif 000003
【図２】
2006175405.tif 000004
【図３】
2006175405.tif 000005
【図４】
2006175405.tif 000006
【図５】
2006175405.tif 000007
【図６】
2006175405.tif 000008